【事件の表示】
　特願２０１４−２３５１８６「端末装置、プリンタ制御方法、およびコンピュータプログラム」拒絶査定不服審判事件〔平成２８年　５月３０日出願公開、特開２０１６−　９９７５３、請求項の数（８）〕について、次のとおり審決する。
【結　論】
　原査定を取り消す。
　本願の発明は、特許すべきものとする。
【理　由】
第１　手続の経緯
　本願は、平成２６年１１月２０日の出願であって、その手続の経緯は以下のとおりである。
　平成２９年１１月１３日　　：手続補正書の提出
　平成３０年　５月１５日付け：拒絶理由通知書
　平成３０年　７月１８日　　：意見書、手続補正書の提出
　平成３０年１０月１６日付け：拒絶理由（最後）通知書
　平成３０年１２月２１日　　：意見書の提出
　平成３１年　３月１５日付け：拒絶査定（原査定）
　令和　元年　５月２７日　　：審判請求書の提出
　令和　２年　６月３０日付け：拒絶理由通知書（当審拒絶理由）
　令和　２年　８月２８日　　：意見書、手続補正書の提出
第２　原査定の概要
　原査定（平成３１年３月１５日付け拒絶査定）の概要は次のとおりである。
　この出願の請求項１−１１に係る発明は、その出願前に日本国内又は外国において、頒布された下記の刊行物Ａに記載された発明又は電気通信回線を通じて公衆に利用可能となった発明に基いて、その出願前にその発明の属する技術の分野における通常の知識を有する者（以下、「当業者」という。）が容易に発明をすることができたものであるから、特許法第２９条第２項の規定により特許を受けることができない。
　引用文献Ａ．特開２００７−２００２５５号公報
第３　当審拒絶理由の概要
　当審拒絶理由（令和２年６月３０日付け拒絶理由）の概要は次のとおりである。
（理由１）この出願の請求項１−３、８−１１に係る発明は、その出願前に日本国内又は外国において、頒布された下記の刊行物１に記載された発明又は電気通信回線を通じて公衆に利用可能となった発明であるから、特許法第２９条第１項第３号に該当し、特許を受けることができない。 
（理由２）この出願の請求項１−１１に係る発明は、その出願前に日本国内又は外国において、頒布された下記の刊行物１、２に記載された発明又は電気通信回線を通じて公衆に利用可能となった発明に基いて、当業者が容易に発明をすることができたものであるから、特許法第２９条第２項の規定により特許を受けることができない。
　１．特開２００４−３８２９６号公報（当審で新たに引用した文献） 
　２．特開２０１３−１１１９８１号公報（当審で新たに引用した文献） 
第４　本願発明
　本願請求項１−８に係る発明（以下、それぞれ「本願発明１」−「本願発明８」という。）は、令和２年８月２８日提出の手続補正書で補正された特許請求の範囲の請求項１−８に記載された事項により特定される発明であり、本願発明１−８は以下のとおりの発明である。
「　【請求項１】
　
プリンタに対して１つまたは複数の仮想プリンタを設けることができ、当該１つまたは複数の仮想プリンタのうちのユーザが指定した仮想プリンタによって当該
　
前記複数の仮想プリンタのうちのユーザによって選択された被選択仮想プリンタの識別子がユーザによって変更された際に、当該変更された
複数の
のうちのいずれか
　前記
変更された
複数の
のうちのいずれか
と前記判定手段によって判定された
含まれている
が含まれるように
前記被選択仮想プリンタに設定されている
更新
更新
　を有することを特徴とする端末装置。
　　【請求項２】
　
前記１つまたは複数の仮想プリンタのうちのユーザによって指定された仮想プリンタの
　請求項１に記載の端末装置。
　　【請求項３】
　前記
複数の
それぞれに対応付けられている
　前記
更新
前記含まれている
が含まれるように前記被選択仮想プリンタの
更新
　請求項１または請求項２に記載の端末装置。
　　【請求項４】
　前記
更新
変更された
複数の
のうちの
が
含まれている
含まれるように
更新
　請求項１ないし請求項３のいずれかに記載の端末装置。
　　【請求項５】
　
前記被選択仮想プリンタの
　前記制御手段は、ユーザの操作に応じて
前記被選択仮想プリンタの
　請求項２に記載の端末装置。
　　【請求項６】
　前記記憶手段
に記載されている、
複数の
のいずれか
　請求項３に記載の端末装置。
　　【請求項７】
　
プリンタに対して１つまたは複数の仮想プリンタを設けることができる端末装置によって、当該１つまたは複数の仮想プリンタのうちのユーザが指定した仮想プリンタで
当該
を制
　
前記複数の仮想プリンタのうちのユーザによって選択された被選択仮想プリンタの識別子がユーザによって変更された際に、当該変更された
複数の
のうちのいずれか
　前記
変更された
複数の
のうちのいずれか
判定された
含まれている
が含まれるように
前記被選択仮想プリンタに設定されている
更新
、更新
　前記端末装置が、
前記１つまたは複数の仮想プリンタのうちのユーザによって指定された仮想プリンタの
　を有することを特徴とするプリンタ制御方法。
　　【請求項８】
　
プリンタに対して１つまたは複数の仮想プリンタを設けることができるコンピュータによって、当該１つまたは複数の仮想プリンタのうちのユーザが指定した仮想プリンタで
当該
　
前記複数の仮想プリンタのうちのユーザによって選択された被選択仮想プリンタの識別子がユーザによって変更された際に、当該変更された
複数の
のうちのいずれか
　前記
変更された
複数の
のうちのいずれか
判定された
含まれている
が含まれるように
前記被選択仮想プリンタに設定されている
更新
更新
　
前記１つまたは複数の仮想プリンタのうちのユーザによって指定された仮想プリンタの
　ことを特徴とするコンピュータプログラム。」
第５　引用文献、引用発明等
１．引用文献１について
　令和２年６月３０日付けの当審拒絶理由通知に引用された引用文献１（特開２００４−３８２９６号公報）には、図面とともに次の事項が記載されている。（下線は当審で付与した。以下同様。） 
「【００７９】
【発明の実施の形態】
〔第１実施形態〕
図１は、本発明の第１実施形態を示す情報処理装置の構成の一例を示すブロック図である。
【００８０】
図において、１０はコンピュータで、ＣＰＵ２１とその周辺機器とからなるコンピュータ本体１１、ディスプレイ１２、及びキーボード，ポインティングデバイス（ＰＤ）等の入力装置１３等から構成され、イーサネット（登録商標）等のネットワーク５０を介してプリンタ３０Ａ，……，プリンタ３０Ｂ（以下、プリンタ３０）と接続されている。なお、ここでは、
コンピュータ１０とプリンタ３０とがネットワーク５０を介して接続され
　・・・中略・・・
【００８３】
４０はオペレーティングシステム（ＯＳ）であり、
コンピュータ１０全体を統括制御するためのソフトウエアである
ＯＳ４０は、
１台のプリンタを異なる複数のプリンタオブジェクトとしてＯＳのシステム情報ファイル
に登録し、各プリンタオブジェクトに対してそれぞれ異なるプリンタ名，デフォルト動作情報（デフォルトの動作条件を規定する情報）を設定し、プリンタ名，デフォルトの動作条件の異なる複数台の仮想プリンタとして使用できるようにコンピュータ１０を制御可能なＯＳであり、
　・・・中略・・・
【０１０４】
以下、図４に示すフローチャートを参照して、本発明の情報処理装置におけるプリンタ複製・設定処理について説明する。
【０１０５】
図４は、本発明の情報処理装置における第１の制御処理手順の一例を示すフローチャートであり、プリンタ複製・設定処理に対応する。なお、このフローチャートの処理は、図１に示したＣＰＵ２１によりＨＤＤ２６，記憶媒体３２又はその他の記憶媒体に格納されたプログラムに基づいて実行されるものとする。また、図中、Ｓ１０１〜Ｓ１０６は各ステップを示す。
【０１０６】
プリンタ複製・設定処理が開始されると、まず、ローカルプリンタ（コンピュータ１０にインストールされているプリンタオブジェクト）を列挙し（Ｓ１０１）、次に、全てのプリンタをチェック（後述するステップＳ１０３〜Ｓ１０６の処理）したか否かを判定し、まだ全てのプリンタをチェックしていないと判断した場合には、ステップＳ１０１で列挙したローカルプリンタを順次チェック（該ローカルプリンタのプリンタドライバが本処理で設定変更可能であるか否かのチェック）し（Ｓ１０３）、設定変更付加であると判断した場合には、ステップＳ１０２に戻り、次のローカルプリンタの処理に移行する。
【０１０７】
一方、ステップＳ１０３でカレントのローカルプリンタのプリンタドライバが本処理で設定変更可能であると判断した場合には、設定フィル（当審註：「設定ファイル」の誤記と認める。）の検索・読込みを行う（Ｓ１０４）。なお、設定ファイル２００は、プリンタドライバ毎に作成されるものであり、ステップＳ１０４における設定ファイルの検索は、カレントのローカルプリンタと同一のプリンタ情報をもつ設定ファイルを検索する。同一の判定条件としては、設定ファイル内の”ＤｒｉｖｅｒＩｎｆｏ”セクションの”ＤＲＩＶＥＲＮＡＭＥ”項目と、カレントのローカルプリンタのプリンタドライバ名が同一であることとする。ここで、設定ファイルが見つからない場合には、ステップＳ１０２に戻り、次のローカルプリンタの処理に移行する。
【０１０８】
一方、ステップＳ１０４で、設定ファイルが見つかった場合には、設定ファイルを読込み、カレントのローカルプリンタを複製（プリンタの複製）する（Ｓ１０５）。
【０１０９】
ここで、プリンタの複製とは、オリジナルのプリンタオブジェクトの名称に設定ファイルのプリンタ情報セクションの”Ｎａｍｅ”項目の値を連結し、システム情報ファイルに登録されているオリジナルプリンタオブジェクトと同じプリンタドライバ，ポート（プリンタを使用する際に用いる接続先），プリントプロセッサ等を指定したプリンタオブジェクトをＯＳ４０のシステム情報ファイル（レジストリ等）に新たに追加する処理に相当する。例えば、カレントのローカルプリンタが”ＬＢｘ−８８０”であり、図３に示した設定ファイルが用意されていたとすると、”ＬＢｘ−８８０（両面印刷）”，”ＬＢｘ−８８０（トナー節約＋２ｉｎ１）”が生成される。なお、複製するプリンタオブジェクトの名称が、ＯＳにより許可された文字数を越える場合には、オリジナルプリンタオブジェクトの名称のプリンタ名を短縮するようにしてもよいし、ユーザに入力させるように構成してもよい。
　・・・中略・・・
【０１１１】
次に、ステップＳ１０６において、ステップＳ１０５で複製した各プリンタオブジェクトのデフォルト設定の変更（デフォルト動作条件の変更設定）を行う。なお、ステップＳ１０５で、設定ファイルのプリンタ情報セクションの”Ｎａｍｅ”項目の値が「””（ＮＵＬＬ）」等であったり付加文字列が合致してプリンタのコピー処理が行われなかった場合には、そのプリンタオブジェクトのデフォルト設定の変更（デフォルト動作条件の変更設定）を行う。
【０１１２】
ここで、プリンタオブジェクトのデフォルト設定の変更とは、設定フィルのプリンタ設定情報セクションを読込み、設定変更をしていく。例えば、図３に示した設定ファイルの”Ｐｒｉｎｔｅｒ１”セクションでは、”２Ｓｉｄｅｐｔｉｎｔ＝１”（当審註：「２Ｓｉｄｅｐ
ｒ
【０１１３】
なお、デフォルト設定変更の際、設定項目に矛盾がある場合は設定変更処理を中断し、ステップＳ１０２に戻り、次のローカルプリンタの処理に移行する。
【０１１４】
そして、ステップＳ１０２において、全てのプリンタをチェックが終了したと判断した場合には、そのまま処理を終了する。
【０１１５】
図５は、図４に示したプリンタ複製・設定変更処理を行った後の印刷ダイアログボックスの一例を示す模式図である。
【０１１６】
図４に示した
プリンタ複製・設定変更処理を行った後、ユーザが、アプリケーションプログラムを実行させて「ファイルメニュー」の「印刷」コマンドを選択した場合、コンピュータ１０のディスプレイ１２上には、
印刷ダイアログボックス７０が表示され
【０１１７】
印刷ダイアログボックス７０において、７１は利用するプリンタをプリンタオブジェクトのプリンタ名で選択するためのリストボックスであり、７２は選択されたプリンタの動作条件を変更するためのプロパティボタンであり、７３は印刷の実行を指示するためのＯＫボタンである
【０１１８】
ユーザは、
この印刷ダイアログボックス７０において、ボタン７１ａを指示することにより表示されるリスト７１ｂから「ＬＢｘ−８８０（トナー節約＋２ｉｎ１）」を選択し、ＯＫボタン７３を押下すると、コンピュータ１０内では、ＯＳ４０、アプリケーションプログラム及びプリンタ「ＬＢｘ−８８０（トナー節約＋２ｉｎ１）」のプリンタドライバが連携して機能することにより、システム内の設定ファイル（レジストリ等のシステム情報）内に記憶されている、プリンタ「ＬＢｘ−８８０（トナー節約＋２ｉｎ１）」に関する動作条件（トナー節約印刷＋２ｉｎ１）に応じた印刷ジョブデータを生成し、「ＬＢｘ−８８０（トナー節約＋２ｉｎ１）」に設定されているポートから出力する処理が行なわれ
、その結果として、プリンタ３０（「ＬＢｘ−８８０」）が、仮想プリンタ「ＬＢｘ−８８０（トナー節約＋２ｉｎ１）」のデフォルト設定での動作（印刷）を行う
【０１１９】
なお、ユーザが、
「ＬＢｘ−８８０（両面印刷＋２ｉｎ１）」を選択した場合も同様である
【０１２０】
また、図３に示した設定ファイル２００は、管理者がテキストエディタ等で記述してユーザに配布してもよいし、管理者が所定のユーザインタフェース、例えば図２３，図２４に示したプリンタドライバの設定画面と同様のユーザインタフェースや単にプリンタドライバを選択する選択ボタンと設定可能な設定項目をチェックするチェックボタンのみのユーザインタフェースを用いて図２に示した設定ファイル２００を生成するように構成してもよい。
【０１２１】
さらに、上記プリンタ複製・設定変更処理により複写されたプリンタオブジェクトを複数指定して、各プリンタオブジェクトに設定されているデフォルト設定の論理和に対応するデフォルト設定を設定した新たなプリンタオブジェクトを追加生成するように構成してもよい。この際、プリンタオブジェクトの名称は、双方の名称をつないだ名称とするように構成してもよい。但し、同一の文字列が存在する場合は一方を削除するものとする。」
　上記記載からみて、引用文献１には、次の発明（以下、「引用発明」という。）が記載されていると認められる。
〈引用発明〉 
「コンピュータ１０とプリンタ３０とがネットワーク５０を介して接続され、
　コンピュータ１０全体を統括制御するためのソフトウエアであるオペレーティングシステム（ＯＳ）４０は、１台のプリンタを異なる複数のプリンタオブジェクトとしてＯＳのシステム情報ファイルに登録し、各プリンタオブジェクトに対してそれぞれ異なるプリンタ名，デフォルト動作情報（デフォルトの動作条件を規定する情報）を設定し、プリンタ名，デフォルトの動作条件の異なる複数台の仮想プリンタとして使用できるようにコンピュータ１０を制御可能なＯＳであり、
　プリンタ複製・設定変更処理を行った後、ユーザが、アプリケーションプログラムを実行させて「ファイルメニュー」の「印刷」コマンドを選択した場合、コンピュータ１０のディスプレイ１２上には、印刷ダイアログボックス７０が表示され、
　印刷ダイアログボックス７０において、７１は利用するプリンタをプリンタオブジェクトのプリンタ名で選択するためのリストボックスであり、７２は選択されたプリンタの動作条件を変更するためのプロパティボタンであり、７３は印刷の実行を指示するためのＯＫボタンであり、
　この印刷ダイアログボックス７０において、ボタン７１ａを指示することにより表示されるリスト７１ｂから「ＬＢｘ−８８０（トナー節約＋２ｉｎ１）」を選択し、ＯＫボタン７３を押下すると、コンピュータ１０内では、ＯＳ４０、アプリケーションプログラム及びプリンタ「ＬＢｘ−８８０（トナー節約＋２ｉｎ１）」のプリンタドライバが連携して機能することにより、システム内の設定ファイル（レジストリ等のシステム情報）内に記憶されている、プリンタ「ＬＢｘ−８８０（トナー節約＋２ｉｎ１）」に関する動作条件（トナー節約印刷＋２ｉｎ１）に応じた印刷ジョブデータを生成し、「ＬＢｘ−８８０（トナー節約＋２ｉｎ１）」に設定されているポートから出力する処理が行なわれ、その結果として、プリンタ３０（「ＬＢｘ−８８０」）が、仮想プリンタ「ＬＢｘ−８８０（トナー節約＋２ｉｎ１）」のデフォルト設定での動作（印刷）を行い、
　「ＬＢｘ−８８０（両面印刷＋２ｉｎ１）」を選択した場合も同様の処理を行う、コンピュータ１０。」
２．引用文献２について
　当審拒絶理由通知に引用された引用文献２（特開２０１３−１１１９８１号公報）には、図面とともに次の事項が記載されている。
「【００８３】
　（第２の実施形態）
　次に第２の実施形態を説明する。本実施形態の画像形成処理システムは、印刷の目的に合せた仮想プリンタを複数設定してクライアント端末から選択できるようにしたシステムである。具体的には、予め印刷の目的に応じて設定条件や設定値が設定されたデータテーブルを複数用意して設定値データベースに登録するとともに、それぞれのデータテーブルに対して印刷の目的を表わす名称が付けられた仮想プリンタを対応付けておく。そしてクライアント端末から印刷を指示する際に、いずれかの仮想プリンタを選択して印刷を指示するようにしたシステムである。本システムにおける複数の仮想プリンタは選択した場合に設定される印刷設定に違いがあるが、いずれを選択して印刷を指示しても所定の画像形成装置（本実施形態では画像形成装置１）に印刷を実行させる仮想的なプリンタである。このようなシステムにより、印刷設定の設定に用いるデータテーブルを印刷の目的等に応じて簡単に切り替えることができるので、よりユーザが所望した印刷結果が得やすくなる。以下、本実施形態をより詳細に説明する。
【００８４】
　図９は、本実施形態の画像形成処理システムにおいて印刷を指示するクライアント端末の画面に表示されるプリンタ選択画面１８０の一例である。プリンタ選択画面１８０は、携帯端末１００（１００’）やＰＣ１５０（１５０’）などのクライアント端末から印刷を指示する場合に、仮想プリンタを選択する画面として表示される画面例である。本実施形態では、一例として「標準プリンタ」、「コスト優先設定」、「客先配布設定」という名称の仮想プリンタが登録されている場合を説明する。
【００８５】
　まず標準プリンタ１８２は画像形成装置１において取得した印刷ジョブに設定されている設定値を優先し、設定値の変更、置換を行わない仮想プリンタである。従って、この標準プリンタ１８２が選択された場合には、画像形成装置１の解析部３２、判定部３４、設定部３６は処理を行わず、印刷ジョブ取得部３０が取得した印刷ジョブをＲＩＰ部３８がＲＩＰ処理し、画像形成処理制御部４０がプリンタ部１０にそのまま印刷させる。なお取得された印刷ジョブにおいて設定されていない印刷設定項目が存在した場合には、設定部３６が画像形成装置１において予め設定されているデフォルト値をその印刷設定に設定すればよい。
【００８６】
　次にコスト優先設定１８４は、コスト削減を優先するように設定条件や設定値が設定されたデータテーブルを利用する仮想プリンタである。具体的には、判定部３４や設定部３６が、コスト優先のデータテーブルに基づいて判定処理や設定値の設定処理を行う。コスト優先のデータテーブルでは、印刷品質よりもコストの低減を優先して印刷を行うことができる条件や設定値が登録されている。コスト優先設定１８４に対応するデータテーブルの例としては、例えばＮｉｎ１印刷（割付印刷）の印刷設定項目について印刷ページ数が所定ページ数以下の場合に２ｉｎ１印刷、所定ページ数を超えている場合に３ｉｎ１印刷や４ｉｎ１印刷が設定される場合が挙げられる。
【００８７】
　
次に客先配布設定１８６は、客に配布する書類として適した印刷結果が得られるように印刷設定が設定される仮想プリンタである。例えば印刷品質が高くなるように設定値が設定される。客先配布設定１８６が選択された場合には、客先配布に適した設定条件や設定値が登録されたデータテーブルに基づいて判定部３４や設定部３６により印刷設定処理が行われる。例えば、所定のページ数を超えている場合にステイプルで止めるステイプル処理が設定値として設定される。またデフォルトでカラー／白黒がカラーに設定される。
【００８８】
　以上の本実施形態によれば、目的に合った設定条件や設定値が適用される仮想プリンタを複数作成して選択できるようにすることで、プリンタドライバを利用できない場合など詳細に印刷設定ができなくても、よりユーザの要求に則した印刷結果が得られるシステムを提供することができる。なお、上述した仮想プリンタや対応するデータテーブルの内容は一例であり、求める印刷結果に対応した様々な仮想プリンタを設定することができる。」
第６　対比・判断
１．本願発明１について
（１）対比
　本願発明１と引用発明とを対比すると、次のことがいえる。
（ア）引用発明において、「コンピュータ１０全体を統括制御するためのソフトウエアであるＯＳ４０は、１台のプリンタを異なる複数のプリンタオブジェクトとしてＯＳのシステム情報ファイルに登録し、各プリンタオブジェクトに対してそれぞれ異なるプリンタ名，デフォルト動作情報（デフォルトの動作条件を規定する情報）を設定し、プリンタ名，デフォルトの動作条件の異なる複数台の仮想プリンタとして使用できるようにコンピュータ１０を制御可能なＯＳであり」、「ユーザが、アプリケーションプログラムを実行させて「ファイルメニュー」の「印刷」コマンドを選択した場合、コンピュータ１０のディスプレイ１２上には、印刷ダイアログボックス７０が表示され」、「この印刷ダイアログボックス７０において、ボタン７１ａを指示することにより表示されるリスト７１ｂから「ＬＢｘ−８８０（トナー節約＋２ｉｎ１）」を選択し、ＯＫボタン７３を押下すると」、「プリンタ３０（「ＬＢｘ−８８０」）が、仮想プリンタ「ＬＢｘ−８８０（トナー節約＋２ｉｎ１）」のデフォルト設定での動作（印刷）を行」うことから、引用発明の「コンピュータ１０」は、本願発明１の「プリンタに対して１つまたは複数の仮想プリンタを設けることができ、当該１つまたは複数の仮想プリンタのうちのユーザが指定した仮想プリンタによって当該プリンタに画像を印刷させる端末装置」に相当するといえる。
（イ）引用発明の「プリンタオブジェクトのプリンタ名」（「ＬＢｘ−８８０（トナー節約＋２ｉｎ１）」や「ＬＢｘ−８８０（両面印刷＋２ｉｎ１）」）は、本願発明１の「前記複数の仮想プリンタのうちのユーザによって選択された被選択仮想プリンタの識別子」に相当するといえ、「ＬＢｘ−８８０（トナー節約＋２ｉｎ１）」や「ＬＢｘ−８８０（両面印刷＋２ｉｎ１）」に含まれる「トナー節約＋２ｉｎ１」や「両面印刷＋２ｉｎ１」は、本願発明１の「複数の特定のキーワード」に相当するといえる。
（ウ）引用発明の「プリンタ「ＬＢｘ−８８０（トナー節約＋２ｉｎ１）」に関する動作条件（トナー節約印刷＋２ｉｎ１）」は、本願発明１の「当該特定のキーワードに対応付けられている第一の条件」に相当するといえる。
（エ）引用発明は、選択された仮想プリンタ「ＬＢｘ−８８０（トナー節約＋２ｉｎ１）」のデフォルト設定での動作（印刷）」を行うものであり、この「デフォルト設定」は、プリンタに画像を印刷させる際の印刷条件であって、当該仮想プリンタに設定されている条件であるといえるから、本願発明１の「前記被選択仮想プリンタに設定されている第二の条件」に相当するといえる。
（オ）上記（ウ）および（エ）より、引用発明と本願発明１とは、「前記複数の仮想プリンタのうちのユーザによって選択された被選択仮想プリンタの識別子に複数の特定のキーワードのうちのいずれかが含まれている場合に、当該含まれている特定のキーワードに対応付けられている第一の条件が含まれるように、前記被選択仮想プリンタに設定されている第二の条件で、当該プリンタに画像を印刷させる」点で共通するといえる。
　そうしてみると、本願発明１と引用発明との間には、次の一致点と相違点があるといえる。
〈一致点〉
　プリンタに対して１つまたは複数の仮想プリンタを設けることができ、当該１つまたは複数の仮想プリンタのうちのユーザが指定した仮想プリンタによって当該プリンタに画像を印刷させる端末装置であって、
　前記複数の仮想プリンタのうちのユーザによって選択された被選択仮想プリンタの識別子に複数の特定のキーワードのうちのいずれかが含まれている場合に、当該含まれている特定のキーワードに対応付けられている第一の条件が含まれるように、前記被選択仮想プリンタに設定されている第二の条件で、当該プリンタに画像を印刷させる端末装置。
〈相違点〉
　本願発明１では、「被選択仮想プリンタの識別子がユーザによって変更された際に、当該変更された識別子に複数の特定のキーワードのうちのいずれかが含まれているか否かを判定する、判定手段」と、「前記変更された識別子に前記複数の特定のキーワードのうちのいずれかが含まれていると前記判定手段によって判定された場合に、当該含まれている特定のキーワードに対応付けられている第一の条件が含まれるように、前記被選択仮想プリンタに設定されている第二の条件を更新する、更新手段」とを有するのに対し、引用発明では、このような判定手段や更新手段を有していない点。
（２）相違点についての判断
　引用発明の「ＬＢｘ−８８０（トナー節約＋２ｉｎ１）」や「ＬＢｘ−８８０（両面印刷＋２ｉｎ１）」に含まれる「トナー節約＋２ｉｎ１」や「両面印刷＋２ｉｎ１」は、「複数の特定のキーワード」に相当するといえるものの、これらのいずれかを含む識別子すなわち「ＬＢｘ−８８０（トナー節約＋２ｉｎ１）」および「ＬＢｘ−８８０（両面印刷＋２ｉｎ１）」の各識別子がユーザによって変更された場合の処理について、引用文献１に記載も示唆もない。
　さらに、引用文献１の記載を参照する限り、引用発明は、「ＬＢｘ−８８０（トナー節約＋２ｉｎ１）」という識別子に対応する仮想プリンタが選択されると、この識別子に対応する仮想プリンタのデフォルト設定での動作（印刷）を行うものであり、識別子に含まれる特定のキーワード（「トナー節約」および「２ｉｎ１」）に基づいて印刷条件を決定し印刷を行うのではなく、先に行われたプリンタ複製・設定処理によって設定された仮想プリンタのデフォルト設定に従って印刷を行うものであるから、引用発明において、仮に、識別子に含まれる特定のキーワードがユーザによって変更されたとしても、当該仮想プリンタのデフォルト設定に関する更新処理が行われるとは認められず、ユーザによる変更後の識別子に基づいて印刷の条件が決定されるとも認められない。
　また、ユーザが、仮想プリンタに対して設定したい条件（第一の条件）がある場合に、その第一の条件に対応する特定のキーワードが含まれるように、その仮想プリンタの識別子を変更することによって、その仮想プリンタに設定されている第二の条件をその第一の条件が含まれるように更新することは、上記引用文献２にも記載も示唆もなく、このことが本願出願日前において周知技術であるともいえない。
　したがって、上記相違点は当業者が容易に想到し得たものではなく、本願発明１は、当業者であっても引用発明、引用文献２に記載された技術的事項に基づいて容易に発明できたものであるとはいえない。
２．本願発明２−６について
　本願発明２−６も、本願発明１の上記相違点に係る構成を備えるものであるから、本願発明１と同じ理由により、当業者であっても、引用発明、引用文献２に記載された技術的事項に基づいて容易に発明できたものとはいえない。
３．本願発明７、８について
　本願発明７は本願発明１に対応する方法の発明であり、本願発明８は本願発明１に対応するプログラムの発明であり、いずれも本願発明１とカテゴリ表現が異なるだけの発明であり、本願発明１の上記相違点に係る構成に対応する構成を備えるものであるから、本願発明１と同じ理由により、当業者であっても、引用発明、引用文献２に記載された技術的事項に基づいて容易に発明できたものとはいえない。
第７　原査定についての判断
　令和２年８月２８日付けの補正により、補正後の請求項１−６は、「被選択仮想プリンタの識別子がユーザによって変更された際に、当該変更された識別子に複数の特定のキーワードのうちのいずれかが含まれているか否かを判定する、判定手段」と、「前記変更された識別子に前記複数の特定のキーワードのうちのいずれかが含まれていると前記判定手段によって判定された場合に、当該含まれている特定のキーワードに対応付けられている第一の条件が含まれるように、前記被選択仮想プリンタに設定されている第二の条件を更新する、更新手段」という技術的事項を有し、また、請求項１とカテゴリ表現が異なる請求項７、８は、当該技術的事項に対応する技術的事項を有するものとなった。
　当該技術的事項は、原査定における引用文献Ａには記載されておらず、本願出願日前における周知技術でもないので、本願発明１−８は、当業者であっても、原査定における引用文献Ａに基づいて容易に発明できたものではない。
　したがって、原査定を維持することはできない。
第８　むすび
　以上のとおり、原査定の理由によって、本願を拒絶することはできない。
　他に本願を拒絶すべき理由を発見しない。
　よって、結論のとおり審決する。